(57)【特許請求の範囲】
【請求項１】
コネクタハウジングの両端に、光学軸が一致するように光コネクタプラグの一方の嵌合部と、光コネクタプラグその他の光学部品の他方の嵌合部とをそれぞれ備え、前記他方の嵌合部に、斜め配置で当該嵌合部を閉鎖する方向に付勢され、当該嵌合部に光コネクタプラグを嵌合させることによって付勢力に抗して開放させるシャッタ板を備えた光コネクタ用アダプタにおいて、前記コネクタハウジングの内部に配された中央の接合端壁部材から一方の嵌合部および他方の嵌合部それぞれに向けて前後に突設された円筒の内側に割りスリーブが装着保持されて成る１個のスリーブホルダが配され、前記一方の嵌合部をハウジングスリーブによって一体に形成し、該ハウジングスリーブに、ケーブルクランプユニットが装着される開閉可能な蓋体を有する嵌合部本体を備えた保持部材が嵌合一体化されることで、当該保持部材側に設けられたフェルールが前記スリーブホルダを介して、前記シャッタ板を備えた光コネクタ用アダプタのコネクタハウジング内部に挿入された相手側フェルールに突き合わせられ、保持部材側のフェルール内に挿入された光ファイバと相手側フェルール内に挿入された光ファイバとの接続を行うものとすることを特徴とするシャッタ付きアダプタ外皮把持型コネクタ。
【発明の詳細な説明】
【技術分野】
【０００１】
本発明は、光コネクタの現場組立作業において、二つの光ファイバ同士を光学的に接続するために使用されるシャッタ付きアダプタ外皮把持型コネクタに関する。
【背景技術】
【０００２】
従来、現場組立式の光コネクタにおいては、ケーブル外被をコネクタに直接把持することでキャビネット等への収納作業を専用工具なしで簡易に組立てることが可能となるメカニカルスプライス方式を採用したケーブル外皮把持型ＳＣコネクタが普及されている。
【０００３】
すなわち、この種ケーブル外皮把持型ＳＣコネクタは、図７（ａ）に示すように、摘み部１０１がプラグフレーム１０２の後端側に装着された保持部材１０３の後端部側に、ケーブルクランプユニット１２１装着後の光ファイバＰの撓み状態を確認するための開閉可能な蓋体１３２を有する嵌合部本体１３１を備えている。なお、図７（ａ）中の符号１０５は、ケーブル外皮把持型ＳＣコネクタを使用しないときにおいてフェルール１０４先端を保護するためのフェルールキャップである。
【０００４】
一方、前記ケーブルクランプユニット１２１は、光ファイバＰの案内溝を備えた身部１２５と開閉可能な蓋部１２６とから構成されている。そして、当該ケーブルクランプユニット１２１を光コネクタ１に接続する際には、嵌合部本体１３１から蓋体１３２を開けておき、フェルール１０４のファイバ孔に挿入される光ファイバＰの撓み状態を確認し、これを修正、調整した後に蓋体１３２を閉蓋して固定されるものとなっている。
【０００５】
また、従来のこの種光コネクタとしては、例えば特許文献１および図７（ｂ）に開示されているように、コネクタハウジング１１２の中央部に配される左右一対の接合端壁部材１１３ｄの一方には、一方の円筒１１５ａが、コネクタハウジング１１２の嵌合端１１３ｅに向かって突設してあると共に、他方の接合端壁部材１１３ｄには、他方の円筒１１５ｂがコネクタハウジング１１２の接続端１１３ｆに向かって形成してあり、両円筒１１５ａ、１１５ｂが光学軸上で中心軸を一致させて接合端壁部材１１３ｄ同士を嵌合爪１１４を介して係合固定することによってスリーブホルダ１１５が形成されている。このとき、スリーブホルダ１１５内側に円筒状の割りスリーブ１１６が装着保持され、両接合端壁部材１１３ｄの左右対称位置には、光コネクタに対するラッチ片１１７、１１８が、夫々の円筒１１５ａ、１１５ｂとコネクタハウジング１１２の側壁１１３ｃの間に沿って形成されている。
【０００６】
また、コネクタハウジング１１２の一方の嵌合部Ａにおける斜め開口となっている嵌合端１１３ｅには、当該嵌合端１１３ｅと同じ斜め配置で当該嵌合端１１３ｅを閉鎖するためのシャッタ板１１１が内側で開閉可能となるように設けられ、該シャッタ板１１１は、一端（上端側）が底壁１１３ｂに圧接され且つ他端（下端側）がシャッタ板１１１の内側面に圧接されている板バネ１１８を介して、閉鎖方向に常時付勢されている。なお、図７（ｂ）中の符号１１９は、不使用時においてコネクタハウジング１１２の接続端１１３ｆを塞いでおくためのアダプタキャップである。
【先行技術文献】
【特許文献】
【０００７】
【特許文献１】特開２００８−２２５１３３号公報
【発明の概要】
【発明が解決しようとする課題】
【０００８】
しかしながら、上記背景技術に記載されていることから明らかなように、従来のケーブル外皮把持型ＳＣコネクタ等においては、アダプタとプラグフレームとがそれぞれが独立した別体構成であることから、部品点数が多くなり、これに伴って加工工程および組立工程も複雑化し、さらにコストアップとなるという問題点を有していた。
【０００９】
そこで、本発明は、叙上のような従来存した諸事情に鑑み案出されたもので、部品点数を少なくして、加工工程、組立工程を簡易化し、コストの低下を図ることのできるシャッタ付きアダプタ外皮把持型コネクタを提供することを目的とする。
【課題を解決するための手段】
【００１０】
上述した課題を解決するために、本発明にあっては、コネクタハウジングの両端に、光学軸が一致するように光コネクタプラグの一方の嵌合部と、光コネクタプラグその他の光学部品の他方の嵌合部とをそれぞれ備え、前記他方の嵌合部に、斜め配置で当該嵌合部を閉鎖する方向に付勢され、当該嵌合部に光コネクタプラグを嵌合させることによって付勢力に抗して開放させるシャッタ板を備えた光コネクタ用アダプタにおいて、前記コネクタハウジングの内部に配された中央の接合端壁部材から一方の嵌合部および他方の嵌合部それぞれに向けて前後に突設された円筒の内側に割りスリーブが装着保持されて成る１個のスリーブホルダが配され、前記一方の嵌合部をハウジングスリーブによって一体に形成し、該ハウジングスリーブに、ケーブルクランプユニットが装着される開閉可能な蓋体を有する嵌合部本体を備えた保持部材が嵌合一体化されることで、当該保持部材側に設けられたフェルールが前記スリーブホルダを介して、前記シャッタ板を備えた光コネクタ用アダプタのコネクタハウジング内部に挿入された相手側フェルールに突き合わせられ、保持部材側のフェルール内に挿入された光ファイバと相手側フェルール内に挿入された光ファイバとの接続を行うものとすることを特徴とする。
【発明の効果】
【００１１】
本発明によれば、部品点数を少なくして、加工工程および組立工程を簡易化し、コストの低下を図ることができる。
【００１２】
すなわち、本発明では、一方の嵌合部をハウジングスリーブによって一体に形成し、該ハウジングスリーブに、ケーブルクランプユニットが装着される開閉可能な蓋体を有する嵌合部本体を備えた保持部材が嵌合一体化されることで、当該保持部材側に設けられたフェルールが前記スリーブホルダを介して、前記シャッタ板を備えた光コネクタ用アダプタのコネクタハウジング内部に挿入された相手側フェルールに突き合わせられ、保持部材側のフェルール内に挿入された光ファイバと相手側フェルール内に挿入された光ファイバとの接続を行うものとするので、従来のシャッタ付ＳＣアダプタに対しプラグフレーム相当部分が一体化されていることから、これによって、プラグフレーム、摘み部、フェルールキャップ、一対のスリーブホルダのうちの１個、アダプタキャップそれぞれを削減することができ、したがって加工工程および組立工程を簡易化でき、コストの低下を図ることができる。
【００１３】
コネクタハウジングは、内部に配された中央の接合端壁部材から一方の嵌合部および他方の嵌合部それぞれに向けて前後に突設された円筒の内側に割りスリーブが装着保持されて成る１個のスリーブホルダが配されて成るので、一対のスリーブホルダのうちの１個、アダプタキャップそれぞれを削減することができ、これにより光コネクタ用アダプタのコネクタハウジング側の加工工程および組立工程を簡易化することができる。
【図面の簡単な説明】
【００１４】
【図１】本発明を実施するための一形態を示すシャッタ付きアダプタ外皮把持型コネクタの分解状態の斜視図である。
【図２】同上の組立時の斜視図である。
【図３】光コネクタ用アダプタの概略構成を示すもので、（ａ）は平面図、（ｂ）は側面図、（ｃ）は底面図、（ｄ）は正面図、（ｅ）は背面図である。
【図４】シャッタ付きアダプタ外皮把持型コネクタの嵌合部本体の蓋体を開けた状態を示す断面図である。
【図５】同上の嵌合部本体にケーブルクランプユニットを接続した状態を示す断面図である。
【図６】同上の相手方の光コネクタ用プラグを接続した状態を示す断面図である。
【図７】従来例を示すもので、（ａ）は光コネクタ全体の分解斜視図、（ｂ）はシャッタ付の光コネクタ用アダプタの分解斜視図である。
【発明を実施するための形態】
【００１５】
以下、図面を参照して本発明に係るシャッタ付きアダプタ外皮把持型コネクタの実施の一形態を詳細に説明する。
【００１６】
本発明に係るシャッタ付きアダプタ外皮把持型コネクタ１は、図１に示すように、相手側フェルール（図６参照）に突き合わせられることにより、フェルール２内に挿入された光ファイバＰとの接続を行うための合成樹脂の成型品でなる角筒状のコネクタハウジング１２と、光ファイバＰの案内溝２２Ａを備えた身部２５、当該身部２５の案内溝２２Ａに対向して案内溝２２Ｂを形成した開閉可能な蓋部２６それぞれから成るケーブルクランプユニット２１と、コネクタハウジング１２の後部より角筒状となって一体に延設されたハウジングスリーブ１３ｆ（従来のプラグフレームに相当する部分）に嵌合され、後端部側においてケーブルクランプユニット２１装着後の光ファイバＰの撓み状態を確認するための開閉可能な蓋体３２を有する嵌合部本体３１を備えて成る略矩形状の保持部材４とから概ね構成されている。
【００１７】
コネクタハウジング１２は、図１、図３（ａ）乃至（ｅ）に示すように、上側壁１３ａと左右の側壁１３ｃとが一体に形成して成り、底壁１３ｂが上側壁１３ａに対向して左右の側壁１３ｃ間に取り付けられている。この中央には略コ字枠状となった後述する１個のスリーブホルダ１９が配置され、コネクタハウジング１２の一方の嵌合部Ｂを形成するハウジングスリーブ１３ｆの開口端は水平方向に開口している。また、コネクタハウジング１２の他方の嵌合部Ａにおける嵌合端１３ｅは斜め上方向に向けて開口している。
【００１８】
コネクタハウジング１２の他方の嵌合部Ａにおける斜め開口となっている嵌合端１３ｅには、当該嵌合端１３ｅと同じ斜め配置で当該嵌合端１３ｅを閉鎖するためのシャッタ板１１が内側で開閉可能となるように設けられている。すなわち、このシャッタ板１１は、その下端左右対称位置に支軸１５を一体に突設し、該支軸１５両端に設けられた突部１５ａを、コネクタハウジング１２の嵌合端１３ｅ下部の左右対向位置における底壁１３ｂ、左右の側壁１３ｃそれぞれに跨って形成された軸孔１６に回動可能に支承させてある。
【００１９】
そして、前記シャッタ板１１下端と支軸１５とが連設されている略中央には矩形状の開口部１７が形成され、該開口部１７を介して、略Ｌ字形状に折曲して形成された板バネ１８を支軸１５中央に外嵌合させ、板バネ１８の一端を底壁１３ｂに圧接させ、他端をシャッタ板１１の内側面に圧接させることで当該シャッタ板１１を閉鎖方向に付勢している。こうして開口部１７は、板バネ１８の弾性力によって常に閉止された状態となっており、コネクタハウジング１２の他方の嵌合部Ａに光コネクタプラグＰ１を嵌合させることによって、シャッタ板１１を板バネ１８の押圧力に抗して開放させる。つまり、シャッタ板１１の開口部１７からはコネクタハウジング１２内に塵埃等が侵入しない構造となっている。
【００２０】
前記板バネ１８は、シャッタ板１１をコネクタハウジング１２の他方の嵌合部Ａにおける嵌合端１３ｅ内側に圧接させた際には、当該板バネ１８の一端は光軸上まで延設配置されるに足る長さを備えている。
【００２１】
また、コネクタハウジング１２の他方の嵌合部Ａにおける上側壁１３ａの内側中央には、光コネクタプラグＰ１挿入時のガイドのために、光軸方向に沿って直線溝条となったキー溝１２Ａが形成されている。そして、シャッタ板１１が斜め配置となって嵌合部Ａの嵌合端１３ｅを閉鎖した際には、外部からの塵埃等の侵入を防ぐために、シャッタ板１１上端の中央に突設した凸部１１Ａで当該キー溝１２Ａを内側から密閉するようにしてある。すなわち、シャッタ板１１で嵌合部Ａの嵌合端１３ｅを内側から閉鎖した状態では、キー溝１２Ａと凸部１１Ａ、およびコネクタハウジング１２の上側壁１３ａとシャッタ板１１の上端縁とがそれぞれ接触することで当該シャッタ板１１は嵌合端１３ｅを確実に係止させるものとなる。
【００２２】
さらに、シャッタ板１１の前面には、縦長多数条となった突起１１Ｂが突設されており、これら多数条の突起１１Ｂにより相手方の光コネクタプラグＰ１（プラグフレーム）が突き当った際の接触面を小さくし、可能な限り塵埃等が光コネクタ用アダプタ１内に入らないようにしている。
【００２３】
前記コネクタハウジング１２の内部中央に配されるスリーブホルダ１９は、中央の接合端壁部材１９ａに対して、円筒１９ｂが、コネクタハウジング１２の他方の嵌合部Ａの嵌合端１３ｅに向かって突設してあると共に、該円筒１９ｂの後端側はコネクタハウジング１２の一方の嵌合部Ｂを形成するハウジングスリーブ１３ｆの開口側に向かって形成してあり、当該円筒１９ｂによって光学軸上で中心軸を一致させている。このとき、円筒１９ｂ内側に円筒状の割りスリーブ１６が装着され保持されている。
【００２４】
前記フェルール２は、図４、図５、図６に示すように、両端部が開口されたファイバ孔４２Ａが中心部軸方向に形成されており、挿入される光ファイバＰの突き当て接続部Ｃの位置する後部側には、当該ファイバ孔４２Ａまで達する矩形状の凹部４８を設けてある。このファイバ孔４２Ａにおいて、光ファイバＰの突き当て接続部Ｃまでの前部側にはあらかじめ他方の光ファイバＰ’が挿着されると共に、フェルール２の前端は研磨加工されている。
【００２５】
そして、上面側に前部から後部に向かって前傾するテーパ面４７Ａを有する板状のチャック４７がフェルール２の凹部４８に合致するように被せられることで、光ファイバＰの突き当て接続部Ｃを下面側で押さえ付けて、あらかじめファイバ孔４２Ａに挿着されている他方の光ファイバＰ’と前記光ファイバＰの調心保持が円滑且つ確実に行えるようにしてある。なお、フェルール２の後端にはファイバ孔４２Ａよりも拡径された末広がりの案内用ファイバ孔４２Ｂが連通形成されている。
【００２６】
また、フェルール２のファイバ孔４２Ａよりも拡径され、しかも後端部側では開口端に向けて末広がりとなる案内用ファイバ孔４３Ａが形成されたブッシュ３を備え、このブッシュ３には、チャック４７のテーパ面４７Ａに外側から密着するよう一部にテーパ内面４９Ａを有する矩形状の嵌合孔４９が前端部に形成されており、組付後にはフェルール２のファイバ孔４２Ａと同軸で連通するようにしてある。
【００２７】
前記保持部材４は、ファイバ孔４２Ａよりも拡径され、しかも後端部側では開口端に向けて末広がりとなるテーパ状ファイバ孔４４Ａが後端部に形成され、さらに、ブッシュ３に外側から嵌合する矩形状の嵌合孔４４Ｃが前端部に形成されており、組付後にはブッシュ３の案内用ファイバ孔４３Ａと同軸で連通するようにしてある。そして、保持部材４の後端部には、後述するケーブルクランプユニット２１を装着可能としてある。
【００２８】
そして、前記保持部材４の前端部とブッシュ３前端部の外面側に形成されたフランジ状の係止部４３Ｂの間に形成されている矩形環状の空間部Ｓには、弾性部材１０としてコイルスプリングがブッシュ３を巻装させるようにした状態で介在配置させてある。
【００２９】
前記コネクタハウジング１２の一方の嵌合部Ｂを形成するハウジングスリーブ１３ｆ（従来のプラグフレームに相当する部分）は、矩形状の保持部材４を挿入するよう矩形筒状に形成されており、当該保持部材４の外面側前方にはフランジ状の係止突起（図示せず）を形成し、この係止突起を係合させて一体的に保持させるようハウジングスリーブ１３ｆの両側面には係合孔４５（図１参照）を設けてある。
【００３０】
図１乃至図６に示すように、ハウジングスリーブ１３ｆに装着された保持部材４の後端部側には、ケーブルクランプユニット２１装着後の光ファイバＰの撓み状態を確認するための開閉可能な蓋体３２を有する嵌合部本体３１を備えている。すなわち、嵌合部本体３１は、角筒体を略半割した形状を有し、これの前端開口側内壁部に形成されている突部を、保持部材４の後端部一側面に形成されている凹部（それぞれ図示せず）に嵌め込み、さらに蓋体３２の端部に形成した支軸３２Ａを、保持部材４の後端部他側面に形成されている凹状の軸承部３２Ｂに嵌め込むと同時に、嵌合部本体３１の後端開口側に形成されている係止板３３中央に突設された係止突部３３Ａを、蓋体３２の両側面部に形成されている係止孔３３Ｂに係合する。また、嵌合部本体３１、蓋体３２それぞれの中央内壁面には、図５および図６に示すように係止突起３８が突設され、ケーブルクランプユニット２１を嵌合部本体３１内に装着して蓋体３２を閉蓋した際に、当該ケーブルクランプユニット２１の後述する係止孔２７Ｂに係止突起３８が係合されるようにしてある。
【００３１】
この係止板３３の係止突部３３Ａと、蓋体３２の係止孔３３Ｂとは、嵌合部本体３１から蓋体３２を開けるに際し、互いに両者の嵌合状態が解除されるものとなっている。そして、基部３４の両端対向位置に２個一対の係止爪部３５を突設した押さえ具３６の当該基部３４によって蓋体３２の支軸３２Ａを被せるようにして保持部材４に装着させ、係止爪部３５それぞれに形成されている係止孔３５Ａを、嵌合部本体３１の前端開口側外壁部に形成されている係止突起３７に係合させることで、保持部材４側に嵌合部本体３１が取り付けられる。
【００３２】
一方、ケーブルクランプユニット２１は、図１、図２、図５、図６に示したように、光ファイバＰの案内溝２２Ａを備えた身部２５と、当該身部２５の案内溝２２Ａに対向して案内溝２２Ｂを形成した開閉可能な蓋部２６とから構成されている。そして、蓋部２６には、光ファイバケーブルを押さえるための二段爪状の押圧突起（図示せず）を付設し、ケーブルクランプユニット２１は、略コ字枠状の身部２５の一端開口側上部に蓋部２６が支軸２６Ａを介して回動可能に取り付けられている。そして、蓋部２６の左右両側には係止突起２７Ａが形成され、身部２５の左右壁面にそれぞれ形成されている係止孔２７Ｂに当該係止突起２７Ａが係合されて閉蓋状態を維持できるようにしてある。
【００３３】
そして、光ファイバＰを貫通させるよう身部２５、蓋部２６相互の案内溝２２Ａ、２２Ｂによって、閉蓋状態で中央の光ファイバ貫通孔２２が形成されると共に、図５および図６に示すように、光ファイバＰに対して左右に二股状に引き裂かれた外被Ｑをそれぞれ挿入して保持可能にするよう身部２５内底面において左右二股に分岐した外被挿入路２３を備え、蓋部２６の支軸２６Ａには光ファイバケーブルを押さえるための二段爪状の押圧突起（図示せず）を形成してある。すなわち、光ファイバＰの撓みをケーブルクランプユニット２１で吸収すべく二芯の外被Ｑを股裂きして抑える構造とし、二股に分かれた外被Ｑは、この押圧突起によって堅固に保持されるものとなっている。
【００３４】
次に、以上のように構成された最良の形態についての使用、組立の一例を説明するに、
先ず、ケーブルクランプユニット２１に光ファイバＰを取り付ける。すなわち、図２および図４に示すように、ケーブルクランプユニット２１の身部２５から蓋部２６を開いて、身部２５の案内溝２２Ａに光ファイバＰを挿入すると同時に、左右二股に分岐した外被挿入路２３に対し、光ファイバＰに対して左右に二股状に引き裂かれた外被Ｑをそれぞれ挿入した後、蓋部２６を身部２５に閉蓋固定する。このとき、中央の光ファイバ貫通孔２２に光ファイバＰを貫通させると同時に、左右二股に分岐した外被挿入路２３に対し、光ファイバＰに対して左右に二股状に引き裂かれた外被Ｑがそれぞれ挿入され、押圧突起（不図示）でもって外被Ｑが固定される。このように二股に裂いた外被Ｑを左右の外被挿入路２３で固定させるため、中央の光ファイバ貫通孔２２から出た光ファイバＰに撓みを持たせるための長い自由度が付与されるのである。
【００３５】
次に、ケーブルクランプユニット２１を保持部材４の嵌合部本体３１に接続する。すなわち、図４に示すように、嵌合部本体３１から蓋体３２を開けておき、フェルール２のファイバ孔４２Ａに挿入される光ファイバＰの撓み状態を確認し、これを修正、調整した後に蓋体３２を閉蓋する（図５参照）。これによって、嵌合部本体３１、蓋体３２それぞれの中央内壁面の係止突起３８が、ケーブルクランプユニット２１の係止孔２７Ｂに係合されて抜脱されないようにしっかりと固定される。
【００３６】
光コネクタ用アダプタ１の使用に際し、先ず、コネクタハウジング１２の他方の嵌合部Ａに相手方の光コネクタプラグＰ１を嵌合させる前では、シャッタ板１１は、板バネ１８により、他方の嵌合部Ａにおける嵌合端１３ｅを閉鎖している。
【００３７】
光コネクタプラグＰ１によってシャッタ板１１が押され、板バネ１８の弾発力に抗して嵌合端１３ｅ内側に当該シャッタ板１１が傾倒する。
【００３８】
光コネクタプラグＰ１を更に押し込むと、シャッタ板１１は水平状態となり、光コネクタプラグＰ１はそのまま移動する。
【００３９】
図６に示すように、光コネクタプラグＰ１が完全に押し込まれた際には、板バネ１８の弾発力によって、シャッタ板１１と、コネクタハウジング１２の上側壁１３ａとの間で光コネクタプラグＰ１がしっかりと挟持された状態となって接続が完了する。
【００４０】
尚、相手方の光コネクタプラグＰ１は、従来のＳＣコネクタプラグと同様に、フェルール２の先端部分が挿入されるブッシュ３と、ブッシュ３が前後方向で僅かに移動可能となるように挿入されたプラグフレーム１０２と、プラグフレーム１０２の外側を被覆する摘み部１０１、その他ブーツ等とから構成される。
【００４１】
また、本願発明に係る外皮把持型コネクタは上記した実施形態に限られるものではなく、例えばクサビ構造のコネクタ等、必要に応じて種々の変更が可能である。
【符号の説明】
【００４２】
Ｐ              光ファイバ
Ｐ１            光コネクタプラグ
Ｑ              外被
Ｓ              空間部
Ａ              他方の嵌合部
Ｂ              一方の嵌合部
１              シャッタ付きアダプタ外皮把持型コネクタ
２              フェルール
３              ブッシュ
４              保持部材
１０            弾性部材
１１            シャッタ板
１１Ａ          凸部
１１Ｂ          突部
１２            コネクタハウジング
１２Ａ          キー溝
１３ａ          上側壁
１３ｂ          底壁
１３ｃ          側壁
１３ｅ          嵌合端
１３ｆ          ハウジングスリーブ
１６            割りスリーブ
１８            板バネ
１９            スリーブホルダ
２１            ケーブルクランプユニット
２２            光ファイバ貫通孔
２２Ａ、２２Ｂ  案内溝
２３            外被挿入路
２５            身部
２６            蓋部
２７Ａ          係止突起
２７Ｂ          係止孔
３１            嵌合部本体
３２            蓋体
３２Ａ          支軸
３２Ｂ          軸承部
３３            係止板
３３Ａ          係止突部
３３Ｂ          係止孔
３４            基部
３５            係止爪部
３５Ａ          係止孔
３６            押さえ具
３７            係止突起
３８            係止突起
４２Ａ          ファイバ孔
４３Ａ          案内用ファイバ孔
４３Ｂ          係止部
４４Ａ          テーパ状ファイバ孔
４７            チャック
４７Ａ          テーパ面
４８            凹部
４９            嵌合孔
４９Ａ          テーパ内面  
【図１】
0005319729.tif 000002
【図２】
0005319729.tif 000003
【図３】
0005319729.tif 000004
【図４】
0005319729.tif 000005
【図５】
0005319729.tif 000006
【図６】
0005319729.tif 000007
【図７】
0005319729.tif 000008